(57)【特許請求の範囲】
【請求項１】
ヒンジアーム（１１）と、ヒンジカップ（１２）と、前記ヒンジアーム（１１）に可動に取り付けられ、少なくとも二つのレバー（１３）によって前記ヒンジアーム（１１）に連結され、別のレバー（１５）によって前記ヒンジカップ（１２）に連結される中間部分（１０）と、を備えた家具ヒンジ（１）と、
前記家具ヒンジ（１）を固定するための取付装置（９）と、
を備え、
前記取付装置（９）は、
家具枠体の側壁（２）に固定されるベースプレート（８）と、
前記ヒンジアーム（１１）を前記取付装置（９）に固定する固定装置（５）と、
を含み、
前記固定装置（５）は前記ベースプレート（８）に可動に取り付けられており、
前記取付装置（９）は接続要素（６）を有し、前記接続要素（６）は、少なくとも一つのヒンジレバー（７ａ、７ｂ）によって前記ベースプレート（８）に対して可動に取り付けられ、かつ、前記中間部分（１０）に固定可能であり、
前記固定装置（５）は、前記ヒンジレバー（７ａ、７ｂ）によって前記ベースプレート（８）に対して可動であることを特徴とする構造体。
【請求項２】
前記ヒンジアーム（１１）は前記固定装置（５）によって前記取付装置（９）に解除可能に固定されることを特徴とする請求項１に記載の構造体。
【請求項３】
前記接続要素（６）は、前記中間部分（１０）の上側に固定されることを特徴とする請求項１または２に記載の構造体。
【請求項４】
前記接続要素（６）は、前記家具ヒンジ（１）の前記中間部分（１０）にクリップ留めできることを特徴とする請求項１から３のいずれか１項に記載の構造体。
【請求項５】
前記接続要素（６）は、前記家具ヒンジ（１）の取り付け状態において前記中間部分（１０）に接するか、または少なくとも部分的に前記中間部分（１０）を包囲するプレート形状部材を有することを特徴とする請求項１から４のいずれか１項に記載の構造体。
【請求項６】
前記接続要素（６）は、２つのレバー（１８ａ、１８ｂ）の形態であることを特徴とする請求項１から５のいずれか１項に記載の構造体。
【請求項７】
前記固定装置（５）は、略プレート形態であることを特徴とする請求項１から６のいずれか１項に記載の構造体。
【請求項８】
前記固定装置（５）は、前記ヒンジレバー（７ａ、７ｂ）にヒンジ式に接続されていることを特徴とする請求項１から７のいずれか１項に記載の構造体。
【請求項９】
前記固定装置（５）は、少なくとも一つの別のヒンジレバー（２６ａ、２６ｂ）によって、前記ベースプレート（８）に対して可動に取り付けられていることを特徴とする請求項１から８のいずれか１項に記載の構造体。
【請求項１０】
前記ベースプレート（８）には、前記ヒンジレバー（７ａ、７ｂ）が回転可能に取り付けられた、少なくとも一つの取付ラグ（２３ａ、２３ｂ）が配置されていることを特徴とする請求項１から９のいずれか１項に記載の構造体。
【請求項１１】
前記少なくとも一つのヒンジレバー（７ａ、７ｂ）は、ギヤまたはギヤ部分（３２）によって、前記ベースプレート（８）に回転可能に取り付けられていることを特徴とする請求項１から１０のいずれか１項に記載の構造体。
【請求項１２】
前記ベースプレート（８）には、前記ギヤまたはギヤ部分（３２）が噛合う少なくとも一つの歯型バー（３３）が配置されていることを特徴とする請求項１１記載の構造体。
【請求項１３】
前記ベースプレート（８）に対する前記固定装置（５）の動作をガイドするために、前記ベースプレート（８）にガイド装置（３４、３５）が配置されていることを特徴とする請求項１から１２のいずれか１項に記載の構造体。
【請求項１４】
前記ヒンジレバー（７ａ、７ｂ）と前記接続要素（６）とは、前記ヒンジアーム（１１）に可動に取り付けられ、かつ、少なくとも二つのレバー（１３）によって前記ヒンジアーム（１１）に連結された中間部分（１０）に、前記接続要素（６）を固定するために適合された寸法であることを特徴とする請求項１から１３のいずれか１項に記載の構造体。
【請求項１５】
家具枠体と、前記家具枠体に旋回可能に取り付けられた家具扉（３）と、を含んだ家具であって、
請求項１から１４のいずれか１項に記載の構造体を含み、前記取付装置（９）は前記家具枠体に取り付けられており、前記家具ヒンジ（１）は前記家具扉（３）を開閉させるために前記取付装置（９）に固定可能であることを特徴とする家具。
【発明の詳細な説明】
【技術分野】
【０００１】
本発明は、家具ヒンジを固定するための取り付け装置に関する。この装置は、家具部分、特に家具枠体の側壁に固定されるベースプレートと、ヒンジを取付装置に好適には解除可能に固定する固定装置と、を含んでおり、固定装置はベースプレートに可動に取り付けられる。
【背景技術】
【０００２】
閉位置から開位置へと、ヒンジ手段による互いに対して旋回可能に接続された家具部分の旋回動作では、基本的に、隣接する家具部分との衝突が発生するリスクが存在する。これは特に、ヒンジ手段によって旋回可能であり、家具枠体を閉じるために提供され、開閉時に隣接する家具扉またはその他の突出した家具部分と衝突する可能性がある家具扉を含んでいる。
【０００３】
この問題を解決するため、ＡＴ３６９１０７は、特別に製造された広角ヒンジを開示しており、これによって、家具扉の開動作中に家具枠体の端縁部から扉を旋回させるために持ち上げ動作を達成することが可能である。この場合には、互いに前後に配置され、かつ、ヒンジアームに取り付けられたピンが可動に取り付けられている２つのスロットを有する取付ハウジングが家具枠体に固定されており、これによってヒンジアームは移動可能に、および部分的に旋回可能にガイドされる。この状況では、互いに対して可動な２つの歯型ラックと噛合うギヤ（歯車）がヒンジアームを駆動し、それによって後者が家具枠体に固定された取付ハウジングに対して移動し、家具扉のさらに大きな開動作が達成される。
【０００４】
ＤＥ４３１８６０７も広角ヒンジを開示しており、隣接する家具扉との衝突を回避するよう、開動作中に扉は家具枠体から離れるように旋回される。家具枠体に固定された取付ハウジング内には、ヒンジアームに接続されたピンが移動可能に取り付けられた複数のスロットが配置されており、ヒンジアームを駆動するよう、ヒンジカップ内に引き込み手段が固定されており、この引き込み手段は一定のストレス状態（応力印加状態）に保持される。
【０００５】
前述のヒンジは、構造が複雑であるため故障しやすいという欠点を有する。このようなヒンジは全ての家具扉に必要ではないので、この種のヒンジの製造に関与する複雑性とコストは過剰である。
【０００６】
増加した開動作を達成する別な可能な方法は、ＷＯ２００６／０５３３６４に開示されている。ここで解説されているヒンジは、ヒンジカップとヒンジアームとの間に中間部分を有しており、この中間部分は２つのレバーによってヒンジアームに確実に連結され、これらのレバーは、中間部分とヒンジアームの両方に適切なスピンドルによって回転可能に取り付けられる。ヒンジアームに対して可動な中間部分は、家具扉が家具枠体から外れる方向に増加した動作成分を有するようにしている。
【０００７】
ＤＥ３４０７１７４Ｃ２は、２つの部分からなるヒンジアームによる増加した開動作が可能なクロスリンクヒンジも開示している。このヒンジアームの下方部分は、家具枠体の取付プレートに固定される。下方部分の歯型バー（棒体）と噛合うギヤ部分を有するヒンジレバーが、ヒンジアームの可動に取り付けられた上方部分に配置されている。このヒンジレバーはクロスリンクヒンジのヒンジアームに接続されており、よってヒンジアームと上方部分との動作連結を可能にする。増加した開ストローク（往復）運動はクロスリンクヒンジにのみ可能であるという欠点に加えて、ヒンジアームは、複雑な固定装置で複雑な構造体のベースプレートを接続せねばならず、よって組み立てが特に複雑で費用がかかる。さらにこの装置は、可動に取り付けられた別の小型部品が、ヒンジに既に存在し、かつ、互いに対して可動な部品に加えられるという欠点を有しており、よってヒンジの複雑性と故障の可能性を増加させる。
【０００８】
これらのタイプのヒンジの欠点は、それらが特定の使用目的のためにのみ設計されていることであり、よってヒンジ製造者と組立作業者は、利用できるすべての可能なタイプのヒンジを常に用意しなければならず、非常に複雑で費用がかかる。
【０００９】
しかしながら、ヒンジから独立し、かつ、非常に小さい開動作の場合に、衝突の問題を解決できる装置が望まれ、その装置は多くの商業的に入手可能なヒンジと共に利用できる。
【００１０】
他方、ヒンジとリンクする開動作の増加程度は多くの使用形態において小さすぎる。この状況では、開動作を追加的に増加させる装置の提供が必要であろう。
【発明の概要】
【発明が解決しようとする課題】
【００１１】
したがって本発明の目的は、前述の欠点を回避し、ヒンジによって旋回可能な家具部分の場合に衝突問題の解決策を提供する、ヒンジ自体から可能な限り独立した装置の提供である。
【課題を解決するための手段】
【００１２】
家具ヒンジが固定される取付装置は、この目的を達成するために提供される。取付装置自体は、例えばネジまたはその他の固定手段によって家具部分に固定されるベースプレートを有する。特にこのベースプレートは、家具枠体の側壁に固定され、この場合には、家具ヒンジは家具扉の開閉のために提供される。
【００１３】
取付装置は、ヒンジが取付装置に固定される固定装置をさらに含んでいる。好適にはここでは、ヒンジが解除可能に固定され、よって取付装置が既にそこに固定されているとき、ヒンジの簡単な装着および取り外しが可能になる。ヒンジは取付装置に装着部分で固定される。この装着部分は、例えばヒンジのヒンジアームであってもよい。
【００１４】
固定装置自体はベースプレートに可動に取り付けられ、よって固定装置に取り付けられたヒンジもベースプレートに可動に取り付けられる。
【００１５】
取付装置はベースプレートに可動に取り付けられた接続要素をさらに含んでおり、この接続要素は少なくとも一本のヒンジレバーによって可動である。固定装置に加え、接続要素は取付装置にヒンジを接続するために提供される。この目的のため、接続要素はヒンジの開閉動作において可動な部分に固定できる。ヒンジに接続された状態では、接続要素は、ヒンジの開閉動作時に動かされるヒンジの部分に固定されており、その動きの最中にヒンジの可動部分と共にも動く事実により、接続要素と、接続要素に固定され得るヒンジの可動部分との動作は連結される。
【００１６】
固定装置がヒンジレバーによってベースプレートに対して可動であり、接続要素がヒンジレバーによってベースプレートに可動に取り付けられる場合に限り、ヒンジの動作に連動する接続要素の動作は固定装置に伝達される。固定装置の動作の範囲と方向は、固定装置の動作を制御する接続要素の動作に依存している。
【００１７】
ヒンジを取り付けた状態では、ヒンジは固定装置の動きによってベースプレートに対して固定装置と共に移動し、その動作は接続要素によってガイドおよび制御される。したがって、装着されたヒンジの開ストローク運動中に、ヒンジの可動な部分が家具枠体内で外側に移動するなら、その連結効果は、固定装置と固定装置に固定されたヒンジも外側に移動することでヒンジの開ストローク運動が増加することを意味する。この場合には、故障し易い複雑な引き込み手段またはスロット内にガイドされるピン構造体が存在しなくとも、その少なくとも一つのヒンジレバーがその動作の連結（連動）およびガイドの構造的に単純な方法を提供する。
【００１８】
取付装置と取付装置に固定されるヒンジは分離した部材であるので、増加した開ストローク運動はヒンジから独立して取付装置によって達成される。それ自体が既に増加した開ストローク運動を有するヒンジが使用されると、開動作の増加が追加され、全体的にさらに大きな開動作を提供する。本発明による取付装置は、増加した開動作がない、商業的に普通に使用されるヒンジに関しても使用でき、よって開ストローク運動の増加は取付装置によってもたらされ、ヒンジ自体から独立して提供される。
【００１９】
開ストローク運動の増加はベースプレートに対する固定装置の可動性によるものである限り、固定装置が商業的に普通に使用されるヒンジの固定用に設計されている限り、商業的に普通に使用されるヒンジの大部分をそのような固定装置に接続できる。旋回される家具部分に関するそれぞれの一般的な要因に応じて、取付装着者は、商業的に普通に使用される非可動である取付装置か、または可動な固定装置を備えた本発明による取付装置のいずれを使用するかを決定できる。しかしながら、両方の場合において、同じタイプのヒンジを使用することが可能であり、それによって製造の複雑性と費用および取付の複雑性と費用が減少する。
【００２０】
本発明の別な有利な形態は従属請求項において定義されている。
【００２１】
本発明の１好適実施態様では、接続要素を、ヒンジの可動部分の外側、好適にはヒンジの可動部分の上側に提供できる。これによって、特に単純な取り付けと、ヒンジレバー用の可能な限り大きなレバーアームとが可能になり、接続要素はレバーアームによって可動となる。ヒンジが、例えばヒンジアームで固定装置に装着されると、接続要素が可動なヒンジ部分の外側に接続され、それによって接続要素と固定装置との間の連結がヒンジレバーによって単純に実行される。一般的に、好適形態で、接続レバーがヒンジの可動部分の上側に固定される場合、ヒンジレバーのレバーアームがヒンジの可動部分の上側とヒンジの下側との間のスペースに達するように、固定装置はヒンジの下側に配置される。
【００２２】
本発明の１実施態様では、取付状態においてヒンジが開いているか閉じているとき、ヒンジレバーによってベースプレートに対して可動である固定装置は線状部材と共にベースプレートに対して移動する。線状部材によって、家具扉の開動作中に線状動作部材と共に、固定装置は例えば家具枠体内で外側に移動でき、よって家具枠体の閉縁部に対する家具扉のスペースが増加する。逆の閉動作では、そのスペースは家具枠体の内部への固定装置の線状運動によって減少する。
【００２３】
本発明の１好適実施態様では、ヒンジアームを固定装置にクリップ留めできる。この目的のため、固定装置は、従来技術において知られており、かつ、ヒンジアーム上で対応する保持要素または拘束要素に係合できるラッチ要素を有しており、よってスナップ式接続を提供する。クリップ留めできるヒンジは、取付装置へヒンジを特に簡単に固定させる。ラッチ要素または拘束要素は弾性的であるか、またはバネ付勢されていてもよい。好適にはヒンジ内には、ヒンジを取付装置から簡単に取り外せるよう、スナップ式接続を再び解除させる解除装置が配置されている。ラッチ要素への接続を解除する解除ボタンが、例えば解除装置として提供される。この目的のため、拘束要素は解除ボタンにより軸周囲で部分的に回転できる。ヒンジを取付プレートに固定するための、この種の解除可能なスナップ式接続は従来技術で知られている。
【００２４】
本発明の１好適実施態様では、接続要素はヒンジの可動部分にクリップ留めできる。この目的のため、ヒンジまたは接続要素は、それぞれの他の部分にて対応する拘束要素に係合するラッチ要素を有し、これらの部分を接続させる。ラッチ要素および／または拘束要素は弾性的であるか、またはバネ付勢されており、解除装置が存在できる。しかし、接続要素は、ヒンジの可動部分にネジ留めされるか、またはその他の方法で固定される。
【００２５】
本発明の１好適実施態様では、接続要素は、領域的（面積的）関係でヒンジの可動部分に接するよう、プレート形状部分もしくは輪郭（プロファイル）形状部分を有しているか、または、少なくとも部分的にプレート形状もしくは輪郭形状形態である。輪郭形状部分はヒンジの可動部分を少なくとも部分的に包囲できる。これにより、接続要素を効率的かつ簡単に固定できる。同時に、ヒンジ運動は接続要素に均一に伝達される。
【００２６】
別な実施態様では、固定装置は実質的にはプレート形状である。プレート形状からのずれは、例えばヒンジレバーを可動に取り付けるための取付ラグによって提供され、ヒンジレバーによって接続要素は固定装置またはヒンジを固定するためのラッチ要素もしくは拘束要素に連結される。しかしながら固定装置は、ヒンジの装着部分を固定できる受領プレートを有することもできる。受領プレートは実質的にプレート形態である固定装置の一部であってもよい。ヒンジアームを固定する場合には、受領プレートは好適にはヒンジアームの形状に適合する長形である。
【００２７】
本発明の１好適実施態様では、接続要素はレバー形状である。好適にはこの点において、２部型（２つの部分からなる）レバーが使用され、ヒンジレバーと共に所望の動力学的関係を提供し、ヒンジレバーによって接続要素は固定装置に接続される。
【００２８】
１実施態様では、固定装置は少なくとも一本のヒンジレバーにヒンジ式に接続される。この目的のため、その少なくとも一本のヒンジレバーのための取付ラグが存在し、ヒンジレバーは取付ラグに回転可能に取り付けられる。接続要素はヒンジレバーによって固定装置に旋回可能に取り付けられる。
【００２９】
ヒンジレバーをベースプレートに可動に固定するため、ヒンジレバーが回転可能に取り付けられる取付ラグも存在できる。
【００３０】
ベースプレートに少なくとも一本のヒンジレバーを可動に取り付ける別な方法では、ヒンジレバーをベースプレートに回転可能に取り付けるギヤ（歯車）またはギヤ部分が関与する。この場合には、ヒンジレバーはギヤまたはギヤ部分によって回転可能でかつ直進運動可能に取り付けられる。
【００３１】
ベースプレートに配置されたギヤまたはギヤ部分に対応する部分として、ギヤまたはギヤ部分と噛合い、かつ、ベースプレートにヒンジレバーを可動に取り付けるために提供される少なくとも一本の歯型バーが存在する。
【００３２】
ベースプレートに固定装置を可動に取り付けるため、少なくとも一本の別なヒンジレバーが提供される。追加的にまたは代わりに、ガイド装置がベースプレートに配置され、ガイド装置によって固定装置の運動がベースプレートに対してガイドされる。
【００３３】
ヒンジが取り付けられた状態での開閉運動中に、内部でヒンジアームが移動するヒンジのため、取付装置は接続要素をヒンジアームに固定できる形態でよい。
【００３４】
さらに、ヒンジは従来技術で知られており、そこにはヒンジアーム上に可動に取り付けられ、かつ、好適には少なくとも２本のレバーによってヒンジアームに連結された中間部分が存在する。ヒンジの取り付け状態では、その中間部分は家具枠体に固定式に結合されたヒンジアームに対して移動する。この場合の取付装置は、接続要素をヒンジの可動部分である中間部分に接続させる設計である。
【００３５】
この目的のため、その少なくとも一本のヒンジレバーと接続要素の寸法は、ヒンジアームの寸法、またはヒンジアームに可動に取り付けられた中間部分の寸法と配置に適合されている。
【００３６】
本発明は、ヒンジ、特に広角ヒンジと、前述の取付装置とを有する構造体にも関する。
【００３７】
１実施態様では、ヒンジは固定装置に固定可能なヒンジアームを有する。さらに、ヒンジアームに取り付けられた、好適には少なくとも２本のレバーによってヒンジアームに連結される中間部分が存在できる。この場合には、接続要素を中間部分に固定できる。
【００３８】
本発明は、家具枠体と家具枠体に可動に取り付けられた家具扉とを備えた家具にも関し、前述の取付装置は家具枠体に取り付けられ、家具扉の開閉のためのヒンジ、好適には広角ヒンジが取付装置に固定される。
【００３９】
本発明のさらなる詳細と利点は、以降にて図面に関連する詳細な説明によってさらに詳細に解説されている。
【図面の簡単な説明】
【００４０】
【図１ａ】図１ａは、開位置にある固定ヒンジを備えた従来技術で知られた取付装置の平面図である。
【図１ｂ】図１ｂは、開位置にある固定ヒンジを備えた従来技術で知られた取付装置の平面図である。
【図１ｃ】図１ｃは、開位置にある固定ヒンジを備えた従来技術で知られた取付装置の平面図である。
【図１ｄ】図１ｄは、開位置にある固定ヒンジを備えた従来技術で知られた取付装置の平面図である。
【図２ａ】図２ａは、２つの異なる開位置における従来技術による取付装置に固定されたヒンジの斜視図の１つである。
【図２ｂ】図２ｂは、２つの異なる開位置における従来技術による取付装置に固定されたヒンジの斜視図の１つである。
【図２ｃ】図２ｃは、２つの異なる開位置における従来技術による取付装置に固定されたヒンジの部材を分離した図である。
【図３ａ】図３ａは、開位置に固定された広角ヒンジを備えた、本発明による取付装置の第１実施例の平面図である。
【図３ｂ】図３ｂは、開位置に固定された広角ヒンジを備えた、本発明による取付装置の第１実施例の平面図である。
【図３ｃ】図３ｃは、開位置に固定された広角ヒンジを備えた、本発明による取付装置の第１実施例の平面図である。
【図３ｄ】図３ｄは、開位置に固定された広角ヒンジを備えた、本発明による取付装置の第１実施例の平面図である。
【図４ａ】図４ａは、開位置に固定された広角ヒンジを備えた、本発明による取付装置の第１実施例の斜視図である。
【図４ｂ】図４ｂは、開位置に固定された広角ヒンジを備えた、本発明による取付装置の第１実施例の斜視図である。
【図５】図５は、固定された広角ヒンジとそれに閉位置にて固定された家具扉とを備えた、家具枠体に取り付けられた第１実施例の取付装置を示している。
【図６ａ】図６ａは、動作位置にある本発明による取付装置の第１実施例の斜視図である。
【図６ｂ】図６ｂは、動作位置にある本発明による取付装置の第１実施例の斜視図である。
【図６ｃ】図６ｃは、動作位置にある本発明による取付装置の第１実施例の関連する分解図である。
【図７ａ】図７ａは、開位置にある広角ヒンジを備えた、本発明による取付装置の第２実施例の平面図である。
【図７ｂ】図７ｂは、開位置にある広角ヒンジを備えた、本発明による取付装置の第２実施例の平面図である。
【図７ｃ】図７ｃは、開位置にある広角ヒンジを備えた、本発明による取付装置の第２実施例の平面図である。
【図７ｄ】図７ｄは、開位置にある広角ヒンジを備えた、本発明による取付装置の第２実施例の平面図である。
【図８ａ】図８ａは、開位置にある広角ヒンジを備えた、本発明による取付装置の第２実施例の斜視図である。
【図８ｂ】図８ｂは、開位置にある広角ヒンジを備えた、本発明による取付装置の第２実施例の斜視図である。
【図９】図９は、固定された広角ヒンジとそれに閉位置にて固定された家具扉とを備えた、家具枠体に取り付けられた第２実施例の取付装置を示している。
【図１０ａ】図１０ａは、開位置にある、本発明による取付装置の第２実施例の斜視図を示している。
【図１０ｂ】図１０ｂは、開位置にある、本発明による取付装置の第２実施例の斜視図を示している。
【図１０ｃ】図１０ｃは、開位置にある、本発明による取付装置の第２実施例の関連する分解図を示している。
【発明を実施するための形態】
【００４１】
図１ａは、家具枠体の側壁２に取り付けられた、従来技術の取付プレート４の平面図である。取付プレート４には広角ヒンジ１が固定されており、広角ヒンジ１によって家具扉３は開閉可能となっている。隣接する家具扉３のように、家具扉３は幅広い厚みｄを有する。ヒンジ１は、閉位置によって画定された端部位置にある。
【００４２】
この場合には、広角ヒンジ１は、第１の装着部分（ここではヒンジアーム１１）で取付プレート４に固定されている。第２の装着部分（ここではヒンジカップ１２）で、ヒンジは側壁に対して旋回可能に取り付けられた２つの家具扉３に取り付けられている。
【００４３】
中間部分１０は、２本のレバー１３によってヒンジアーム１１に対して可動であり、かつ、レバー１３によってヒンジアームにしっかりと連結され、レバー１３は中間部分１０とヒンジアームの両方に適切なスピンドル１４によって回転可能に取り付けられる。中間部分１０によって、家具部分２と３は互いに旋回可能であるだけでなく、互いの間隔を旋回運動で増加させることもでき、すなわち増加した開ストローク運動を提供することも可能である。この目的のため、中間部分１０は、図１ａに示す第１の端部位置にてヒンジアーム１１を越えてレバー１３によって旋回され、完全開位置を画定する図１ｄに示す端部位置にまでそれを延ばす。すなわち、それら２つの装着部分１１と１２とが２つの端部位置で異なる程度、互いに離れるように移動することを意味する。同じ機能原理を備えた、ヒンジ１に非常に類似するヒンジは、ＷＯ２００６／０５３３６４に開示されている。
【００４４】
図１ｂと図１ｄに示すように、厚みｄは非常に大きく、ヒンジ１の増加した開ストローク運動にもかかわらず隣接する家具扉３と３ａとの間で衝突が発生する。開ストローク運動をさらに増加させたい場合には、ヒンジの大きさは著しく増加されなければならず、家具枠体内の貴重なスペースが失われる。
【００４５】
図１ａ、１ｂ、１ｃおよび１ｄは固定された家具扉と共にヒンジ１の開運動の時系列を表す。図１ｄに図示される家具扉３と３ａとの間における衝突の結果、ヒンジ１の理論的に可能な最大開角度である約１７０°には到達できない。
【００４６】
図２ａは、従来技術の取付プレート４に接続されている状態のヒンジ１の斜視図である。ヒンジ１は閉位置にある。ヒンジのヒンジレバー１５のリム（肢部）１６ａと１６ｂは完全に折り畳まれた状態である。
【００４７】
図２ｂは、ヒンジ１が完全に開いた第２の端部位置にあるヒンジ１の斜視図を示している。ヒンジレバー１５のリム１６ａと１６ｂは互いに完全に離れるように旋回している。中間部分１０も、ヒンジアーム１１に対してヒンジレバー１３によって画定される端部位置にあり、これによって最大の開ストローク運動が達成される。
【００４８】
図２ｃは、ヒンジから分離された、従来技術の取付プレート４を備えた図２ｂを示している。この場合には、取付プレート４は、ヒンジアーム１１が取付プレート４に簡単にクリップ留めされるような設計形態であり、これによってスナップ式接続を提供する。取付プレート４自体は、ネジで家具枠体に固定される。
【００４９】
図３ａは、図１と図２のヒンジ１に実質的に対応するヒンジ１の平面図である。ヒンジ１はヒンジカップ１２によって家具扉３に固定され、かつ、家具枠体の側壁２にヒンジアーム１１を介して固定されている。この場合には、ヒンジアーム１１は家具枠体に直接的には固定されないが、本発明による取付装置９を介して固定されている。
【００５０】
既に前述したように、ヒンジ１自体は増加した開ストローク運動を有しており、一般的な要因に関し、家具扉３、３ａの厚みｄによって、それは開動作中の衝突を防ぐほど十分ではない。接続要素６はヒンジレバー１３を介してヒンジアーム１１に対して可動に取り付けられた中間部分１０に固定されおり、本実施例では、接続要素６は、スピンドル１９によって互いに回転可能に接続されたレバーアーム１８ａと１８ｂとを備えた２部型（２つの部分からなる）レバーの形態である。ヒンジレバー７ａと７ｂとは、スピンドル１７によって接続要素６に回転可能に接続されている。さらにヒンジレバー７ａと７ｂとは、スピンドル２０によって固定装置５に回転可能に取り付けられている。固定装置５に配置された取付ラグ（取付突出部）２１ａ、２１ｂはこの目的のために提供される。
【００５１】
さらに、ヒンジレバー７ａと７ｂとは、スピンドル２２によってベースプレート８に回転可能に取り付けられている。取付ラグ２３ａ、２３ｂもこの目的のためにベースプレート８に配置されている。固定装置５には、別の取付ラグ２４ａ、２４ｂも配置されており、これらの取付ラグにはそれぞれ別のヒンジレバー２６ａ、２６ｂが取り付けられている。別のヒンジレバー２６ａ、２６ｂはベースプレート８にそれらの他方の端部にて回転可能に取り付けられており、別の取付ラグ２５ａ、２５ｂはこの目的のため、ベースプレート８上に提供されている。
【００５２】
図３ａ、３ｂ、３ｃおよび３ｄは、ヒンジ１の開動作の時系列に対応する。図３ｂと図３ｄに特に明示するように、ヒンジによって既に増加した開ストローク運動は、隣接する家具扉３と３ａとの間で衝突が発生しないよう、およびヒンジ１が、その端部位置である最大開角度にまで開くよう、取付装置９によってさらに増加される。ベースプレート８に対する固定装置５の動作は、ベースプレート８の取付ラグ２５ａ、２５ｂに対する、固定装置５の取付ラグ２４ａ、２４ｂの動作によって明示されている。
【００５３】
図４ａは、本発明による取付装置９の第１実施例に接続された状態の、閉位置にあるヒンジ１を示している。接続要素６は、レバーアーム１８ａと１８ｂとを備えた２部型（２つの部分からなる）レバーの形態である。接続要素６のレバーアーム１８ａは部分的にプレート形態であり、ヒンジ１に接続された状態で中間部分１０の上側に対して平面で接する。接続要素６は、接続要素６を固定するためにヒンジ１の対応する拘束または保持要素と係合する、この図には示していないラッチ要素を有している。この点で、図２ｂと２ｃに示す中間部分１０の一方または両方の開口部４２は拘束要素として提供され、開口部は、接続要素６に配置され、かつ、弾性であるか又はバネ付勢されたラッチ要素とラッチ係合し、かくしてそれらはスナップ式作用接続を形成できる。あるいは、接続要素６の穴部４５にフィットできる１つ又は複数のネジで固定させることも可能である。
【００５４】
さらに、レバーアーム１８ａは、スピンドル１９によって第２のレバーアーム１８ｂおよびヒンジ１にヒンジ式に接続される２つの舌部２８を有している。この構造では、舌部２８はヒンジ１のわずかに突出したピン部分２７にクリップ留めされ、これによって簡単で解除可能なスナップ作用接続を提供する。
【００５５】
図４ｂは、完全開位置にある取付装置９を備えたヒンジ１を示しており、ヒンジ１と取付装置９の全体的な開ストローク運動を利用している。
【００５６】
図５は、家具枠体の側壁２に固定された取付装置９の第１実施例の斜視図である。閉位置にあるヒンジ１は、取付装置９によって側壁２に接続され、ヒンジカップ１２によって家具扉３ａに接続されている。
【００５７】
図６ａと図６ｂは、閉位置（図６ａ）と開位置（図６ｂ）のヒンジ１が存在しない取付装置９を示している。別のヒンジレバー２６ａ、２６ｂを備えた固定装置５が平行レバー構造体を形成している状態が示されている。接続要素６は、ヒンジ１の開閉動作中に移動する中間部分１０に接続される。固定装置５は、ヒンジレバー７ａ、７ｂを介して作動され、この場合には、固定装置５は、ヒンジ１の開閉過程中にヒンジ運動に連動する接続要素６の動作によってベースプレート８に対して移動する。開動作では、固定装置５はベースプレート８に対して矢印Ａの方向に移動する。接続要素６は、従来技術で知られており、かつ、図６ａから図６ｃには図示されていないラッチ要素によってヒンジ１に固定され、それによって接続要素６は中間部分１０にクリップ留めされ得る。
【００５８】
ヒンジ１のヒンジアーム１１は、固定装置４にクリップ留めされており、弾性ラッチ要素２９ａ、２９ｂはこの目的のために提供されており、ヒンジアームの対応する拘束要素に係合する。ヒンジ自体は解除装置を有しており、その解除装置によって取付装置９への接続を再び解除することができる。
【００５９】
家具扉３が開くとき、固定装置５はヒンジ１と、これに固定された家具扉３ａと共に弧を描くように家具枠体外側に移動し、隣接する家具扉３ａ周囲を通過する。ストローク運動と直線運動の組合せは、図３ｂから図３ｄに明示されている。図６ｂに示す端部位置では、固定装置５に配置された取付ラグ２４ａ、２４ｂは、図６ａに示す端部位置に対して、ベースプレート８上で取付ラグ２５ａ、２５ｂに対して前方に移動している。
【００６０】
図６ｃは、取付装置９の分解図と、それに固定されたヒンジ１の斜視図である。ベースプレート８は、３つのプレート状要素８ａ、８ｂ、８ｃを含んでおり、ベースプレート８はベースプレート８ために提供された穴部４４に適合するネジ（図示せず）で家具枠体に固定されている。部材８ｂは、ベースプレート８が構造的にコンパクトな高さとなるよう、部材８ａに部材８ｂのために提供された開口部４１に適合する。部材８ｃは、固定装置５の架橋形状部分の下に適合する。固定装置５の相対的動作は部材８ｃの脚部によって制限される。取付ラグ２５ａ、２５ｂは、ベースプレート要素８ａ内のスロット形状の開口部４０ａ、４０ｂに適合する。
【００６１】
ベースプレート８は、高さと深さの調節のための調節手段を有する。開口部４３ａと４３ｂに適合する偏心部３０ａと３０ｂはこの目的のためにそれぞれ提供される。
【００６２】
図７ａから図７ｄは、本発明による取付装置９の第２実施例に固定されたヒンジ１の開動作の時系列の平面図である。ヒンジ１に対して増加した開ストローク運動が再び図示されており、これによって隣接する家具扉３ａとの衝突を防止できる。本実施例では、接続要素６は開口部４５の一つに適合するネジ３１で中間部分１０に固定される。ヒンジレバー７ａと７ｂは、スピンドル２０によって固定装置５の取付ラグ２１ａ、２１ｂに回転可能に取り付けられる。
【００６３】
しかしながら本実施例の取付装置では、ヒンジレバー７ａ、７ｂは、固定されたジョイントによってベースプレート８に接続されているわけではなく、それらの端部において、ベースプレート８の対応する歯型バー３３と噛合うギヤ部分３２をそれぞれ有している。この結果、ヒンジレバー７ａ、７ｂは、図７ａから図７ｄに示す歯型バー３３に対するギヤ部分３２の位置のシフトに基づいて明示されているように、ベースプレートに対するヒンジ１の動作中に、回転するだけでなく、直進運動形態で移動する。
【００６４】
図８ａは、ヒンジ１と、ヒンジ１の閉位置にある接続された取付装置９とを示している。ヒンジレバー７ａ、７ｂのギヤ部分３２は、家具枠体の内側の歯型バー３３の端部に配置されている。
【００６５】
図８ｂは、ヒンジ１の完全開位置と、取付装置９の完全開位置とを示している。ギヤ部分３２は、枠体の外側である歯型バー３３の端部に配置されており、これはベースプレート８に対する固定装置５の最大移動度に対応している。
【００６６】
図９は、ヒンジ１と、図８ａの取付装置９とを示しており、取付装置９は家具枠体の側壁２に取り付けられており、ヒンジ１は家具扉３にヒンジカップと共に取り付けられている。
【００６７】
図１０ａは、取付装置９の第２実施例の斜視図である。ベースプレート８の部材８ｃは、開口部３５上方に架橋形状接続部３４を有しており、これは固定装置５用のガイド装置として提供される。第１実施例の平行レバー構造体の代わりに、ギヤ部分によって制御されるヒンジレバー７ａは、図７ａから図７ｄに示すように、固定装置５がベースプレート８に対して直線状にのみ移動し、追加的なストローク運動を必要とはしないという利点を有している。
【００６８】
図１０ｂは、完全開位置にある取付装置９の斜視図であり、これによってヒンジ１による開ストローク運動に関する最大の追加的な開ストローク運動を提供する。
【００６９】
ベースプレート８が３つの部材８ａ、８ｂ、８ｃで再び構成されていることが、図１０ｃの取付装置９の分解図とヒンジ１の斜視図に示されている。家具枠体に固定されたベースプレート８の高さおよび深さに関する調節は、偏心部３０ａおよび３０ｂと、開口部４３ａおよび４３ｂとによって可能である。第１実施例では、別のヒンジレバー２６ａ、２６ｂがベースプレート８からの固定装置の持ち上げを防止するが、本実施例ではこの目的は、架橋形状接続部３４と、ベースプレート８の部材８ａに固定でき、固定装置５内のスロット形状開口部３８で移動可能にガイドされる突出するピン部分３９によって達成される。この目的は、部材８ｂに固定され、スロット３６に移動可能に取り付けられたピン部分３７によって達成される。
【図１ａ】
0005878635.tif 000002
【図１ｂ】
0005878635.tif 000003
【図１ｃ】
0005878635.tif 000004
【図１ｄ】
0005878635.tif 000005
【図２ａ】
0005878635.tif 000006
【図２ｂ】
0005878635.tif 000007
【図２ｃ】
0005878635.tif 000008
【図３ａ】
0005878635.tif 000009
【図３ｂ】
0005878635.tif 000010
【図３ｃ】
0005878635.tif 000011
【図３ｄ】
0005878635.tif 000012
【図４ａ】
0005878635.tif 000013
【図４ｂ】
0005878635.tif 000014
【図５】
0005878635.tif 000015
【図６ａ】
0005878635.tif 000016
【図６ｂ】
0005878635.tif 000017
【図６ｃ】
0005878635.tif 000018
【図７ａ】
0005878635.tif 000019
【図７ｂ】
0005878635.tif 000020
【図７ｃ】
0005878635.tif 000021
【図７ｄ】
0005878635.tif 000022
【図８ａ】
0005878635.tif 000023
【図８ｂ】
0005878635.tif 000024
【図９】
0005878635.tif 000025
【図１０ａ】
0005878635.tif 000026
【図１０ｂ】
0005878635.tif 000027
【図１０ｃ】
0005878635.tif 000028